(57)【要約】【課題】無駄な処理を省くとともにリソースを有効活用することができる無線基地局装置、無線端末装置、及び無線通信システムを提供する。【解決手段】基地局１は、端末２〜４にスロットを割り当てて回線交換方式により端末２〜４との間で無線信号の送受信を行う。基地局１は、スロット毎の使用状況を管理する呼状態管理部１４と、スロット毎の予約状況を記憶する記憶部を備えるフラグ制御部１５と、端末２〜４から接続要求があった場合に、呼状態管理部１４を参照して切断処理中のスロットを取得し、このスロットの使用を予約する旨を示す予約情報をフラグ制御部１５の記憶部に記憶するチャネル割り当て制御部１６とを備える。【選択図】図１
2007174449.tif 000002
【特許請求の範囲】
【請求項１】
無線端末装置にチャネルを割り当てて回線交換方式により前記無線端末装置との間で無線信号の送受信を行う無線基地局装置において、
前記チャネル毎の使用状況を管理する管理部と、
前記チャネル毎の予約状況を記憶する記憶部と、
前記無線端末装置から接続要求があった場合に、前記管理部を参照して切断処理中のチャネルを取得し、該チャネルの使用を予約する旨を示す予約情報を前記記憶部に記憶する制御部と
を備えることを特徴とする無線基地局装置。
【請求項２】
前記制御部は、前記予約情報を前記記憶部に記憶した場合には、前記チャネルの使用が可能となる旨を示す使用可能情報を、前記接続要求を発した無線端末装置に対して送信することを特徴とする請求項１記載の無線基地局装置。
【請求項３】
前記制御部は、前記記憶部に前記予約情報が記憶されているチャネルについて前記切断処理が終了した場合には、当該チャネルを前記接続要求を発した無線端末装置に対して割り当てる処理を行うことを特徴とする請求項２記載の無線基地局装置。
【請求項４】
前記制御部は、前記接続要求を発した無線端末装置が複数ある場合には、当該無線端末装置のうちの所定の優先度が高い無線端末装置に対して前記切断処理が終了したチャネルを割り当てる処理を行うことを特徴とする請求項３記載の無線基地局装置。
【請求項５】
前記制御部は、前記切断処理が異常切断により行われたものである場合には、通信環境を確認した上で前記チャネルを割り当てる処理を行うことを特徴とする請求項３又は請求項４記載の無線基地局装置。
【請求項６】
請求項２から請求項５の何れか一項に記載の無線基地局装置によって割り当てられるチャネルを用いて前記無線基地局装置との間で無線信号の送受信を行う無線端末装置において、
前記無線基地局装置から送信される前記使用可能情報を受信する受信部と、
前記受信部で前記使用可能情報を受信した場合に、前記使用可能情報を送信した前記無線基地局装置からのチャネル割り当てを一定期間待機する制御部と
を備えることを特徴とする無線端末装置。
【請求項７】
無線基地局装置と無線端末装置との間で回線交換方式によりチャネルを割り当てて前記無線端末装置と前記無線端末装置との間で無線信号の送受信を行う無線通信システムにおいて、
前記無線基地局装置は、前記無線端末装置から接続要求があった場合に、切断処理中のチャネルがあるときには当該チャネルを取得し、該チャネルの使用を予約するとともに、前記接続要求を発した無線端末装置に対して前記チャネルの使用が可能となる旨を示す使用可能情報を送信することを特徴とする無線通信システム。
【請求項８】
前記無線端末装置は、前記使用可能情報を受信した場合に、前記使用可能情報を送信した前記無線基地局装置からのチャネル割り当てを一定期間待機することを特徴とする請求項７記載の無線通信システム。
【発明の詳細な説明】
【技術分野】
【０００１】
本発明は、無線信号を送受信して通信を行う無線基地局装置、無線端末装置、及び無線通信システムに関する。
【背景技術】
【０００２】
携帯電話機、ＰＨＳ（Personal Handyphone System）、自動車電話機、その他の無線端末装置間で行われる通信を制御する無線通信システムにおいては、一般的に無線基地局装置が無線端末装置に対してチャネルを割り当てることにより通信が行われる。また、所謂ハンドオーバー処理においては、移動先の無線基地局装置との間で新たにチャネルを割り当てるとともに、移動元の無線基地局装置との間のチャネルを開放する処理が行われる。
【０００３】
ここで、無線端末装置が接続要求を発した場合に、無線基地局装置に新たに割り当てるチャネルが無い場合には通信が行われることがない。また、ハンドオーバー処理時に移動先の無線基地局装置に新たに割り当てるチャネルが無い場合には通信が切断されてしまう。以下の特許文献１には、ハンドオーバー処理に先立って所定範囲内の無線基地局装置のリソースを予約することで、スムーズなハンドオーバーを実現する技術が開示されている。
【特許文献１】特開２００４−２６６７１３号公報
【発明の開示】
【発明が解決しようとする課題】
【０００４】
ところで、接続要求を発した無線端末装置は、チャネルの割り当てが行われなかった場合には、再度、接続要求を発して他の無線基地局装置からのチャネル割り当てを試みようとする。ここで、無線基地局装置が無線端末装置からの接続要求を受信したときに、無線基地局装置が新たに割り当てるチャネルは無いが、あるチャネルの切断処理を行っている場合を考えると、かかる場合にもその接続要求を発した無線端末装置に対するチャネルの割り当ては行われない。このため、直ちに空きチャネルが生じようとしている状況においても無線端末装置にチャネルの割り当てが行われていないために、無線端末装置は、他の無線基地局装置に対して接続要求を送信する。その結果、他の無線基地局装置との間でチャネル割り当て処理が実行されるため、無線端末装置及び無線基地局装置の双方で無駄な処理が行われるとともにリソースを有効活用しているとは言い難い。
【０００５】
本発明は、上記事情に鑑みてなされたものであり、無駄な処理を省くとともにリソースを有効活用することができる無線基地局装置、無線端末装置、及び無線通信システムを提供することを目的とする。
【課題を解決するための手段】
【０００６】
上記課題を解決するために、本発明の無線通信システムは、無線端末装置にチャネルを割り当てて回線交換方式により前記無線端末装置との間で無線信号の送受信を行う無線基地局装置において、前記チャネル毎の使用状況を管理する管理部と、前記チャネル毎の予約状況を記憶する記憶部と、前記無線端末装置から接続要求があった場合に、前記管理部を参照して切断処理中のチャネルを取得し、該チャネルの使用を予約する旨を示す予約情報を前記記憶部に記憶する制御部とを備えることを特徴としている。
また、本発明の無線通信システムは、前記制御部が、前記予約情報を前記記憶部に記憶した場合には、前記チャネルの使用が可能となる旨を示す使用可能情報を、前記接続要求を発した無線端末装置に対して送信することを特徴としている。
また、本発明の無線通信システムは、前記制御部が、前記記憶部に前記予約情報が記憶されているチャネルについて前記切断処理が終了した場合には、当該チャネルを前記接続要求を発した無線端末装置に対して割り当てる処理を行うことを特徴としている。
また、本発明の無線通信システムは、前記制御部が、前記接続要求を発した無線端末装置が複数ある場合には、当該無線端末装置のうちの所定の優先度が高い無線端末装置に対して前記切断処理が終了したチャネルを割り当てる処理を行うことを特徴としている。
更に、本発明の無線通信システムは、前記制御部が、前記切断処理が異常切断により行われたものである場合には、通信環境を確認した上で前記チャネルを割り当てる処理を行うことを特徴としている。
上記課題を解決するために、本発明の無線端末装置は、上記に記載の無線基地局装置によって割り当てられるチャネルを用いて前記無線基地局装置との間で無線信号の送受信を行う無線端末装置において、前記無線基地局装置から送信される前記使用可能情報を受信する受信部と、前記受信部で前記使用可能情報を受信した場合に、前記使用可能情報を送信した前記無線基地局装置からのチャネル割り当てを一定期間待機する制御部とを備えることを特徴としている。
上記課題を解決するために、本発明の無線通信システムは、無線基地局装置と無線端末装置との間で回線交換方式によりチャネルを割り当てて前記無線端末装置と前記無線端末装置との間で無線信号の送受信を行う無線通信システムにおいて、前記無線基地局装置は、前記無線端末装置から接続要求があった場合に、切断処理中のチャネルがあるときには当該チャネルを取得し、該チャネルの使用を予約するとともに、前記接続要求を発した無線端末装置に対して前記チャネルの使用が可能となる旨を示す使用可能情報を送信することを特徴としている。
また、本発明の無線通信システムは、前記無線端末装置が、前記使用可能情報を受信した場合に、前記使用可能情報を送信した前記無線基地局装置からのチャネル割り当てを一定期間待機することを特徴としている。
【発明の効果】
【０００７】
本発明によれば、無線端末装置から接続要求があった場合に、切断処理中のチャネルを取得し、このチャネルの使用を予約する制御を行っているため、チャネルの使用終了から次の使用開始までの時間を短縮することができ、無線基地局装置が割り当てるチャネルの未使用時間を短縮することができる。この結果として無線基地局装置のリソースを有効活用することができる。
また、無線端末装置は、無線基地局装置から送信される使用可能情報によって空きチャネルが生じようとすることを知ることができるため、更なる他の無線基地局装置との間のチャネル割り当て処理を行う必要が無くなる。これにより、接続要求を発した無線端末装置と無線基地局装置との間でチャネルが確実に割り当てられるとともに、無線端末装置及び無線基地局装置の双方の無駄な処理を省くことができる。
【発明を実施するための最良の形態】
【０００８】
以下、図面を参照して本発明の一実施形態による無線基地局装置、無線端末装置、及び無線通信システムについて詳細に説明する。図１は、本発明の一実施形態による無線通信システムの概略構成を示すブロック図である。図１に示す通り、本実施形態の無線通信システムは、本発明の一実施形態による無線基地局（以下、基地局という）１、及び本発明の一実施形態による無線端末装置（以下、端末という）２〜４を含んで構成される。
【０００９】
尚、基地局１は例えば一定間隔で複数設けられているが、図１では図示の簡略化のために１つの基地局１のみを図示している。また、図１では３つの端末２〜４を図示しているが、基地局１に接続される端末の数は３つに限られる訳ではない。また、以下の説明では、本発明をＰＨＳ（Personal Handyphone System）に適用した場合を例に挙げて説明するが、本発明の無線通信システムはＰＨＳに限定される訳ではない。
【００１０】
基地局１は、端末２〜４の各々に対してチャネル（ＴＣＨ：トラフィックチャネル）を割り当て、割り当てたチャネルを介して時分割多重接続（ＴＤＭＡ：Time Division Multiple Access ）方式により無線信号を送受信する。また、基地局１は、制御チャネル（ＬＣＨ：リンクチャネル）を介して端末２〜４との間で各種制御信号の授受を行う。尚、基地局１及び端末２〜４は、回線交換方式により通信を行う。ここで、回線交換方式とは、通信を始める前に予め回線を確保してから通信を行う通信方式をいう。また、本実施形態では基地局１と端末２〜４とがＴＤＭＡ方式により無線信号の送受信を行う場合を例に挙げるが、本発明はこの通信方式に制限される訳ではなく、他の通信方式にも適用することができる。
【００１１】
図１に示す通り、基地局１は、スロット状況監視部１１、スロット制御部１２、タイマ部１３、呼状態管理部１４、フラグ制御部１５、及びチャネル割り当て制御部１６を含んで構成される。スロット状況監視部１１は、基地局１で使用する各スロットの状況を監視する。具体的には、基地局１は４つのスロットが使用可能であり、スロット状況監視部１１は各々のスロットの空きが有るか否かを監視する。スロット制御部１２は、チャネル割り当て制御部１６の制御の下で、スロット状況監視部１１の監視結果に応じたスロットの割り当てを制御する。タイマ部１３は、スロット制御部１２によって指示された時間を指示されたタイミングで計時し、計時を終了した場合には、その旨を示す信号をスロット制御部１２に出力する。
【００１２】
呼状態管理部１４は端末２〜４の呼の状態を管理する。ここで、端末２〜４の呼の状態としては「通話中」及び「切断中」がある。例えば、基地局１と端末２との間で通話（通信）が行われている場合には端末２の呼の状態は「通信中」であり、基地局１と端末２との間で切断処理が行われている場合には端末２の呼の状態は「切断中」である。基地局１と端末２〜４との間の通信は４つのスロットを用いて行われるため、呼状態管理部１４は４つのスロットの各々について呼の状態を監視している。
【００１３】
図２は、呼状態管理部１４の管理状況を説明するための図である。図２において、符号ＳＬ１〜ＳＬ４は、基地局１で使用されるスロットを概念的に図示したものである。図２に示す例ではスロットＳＬ１〜ＳＬ３ついての呼の状態は「通信中」であり、スロットＳＬ４についての呼の状態は「切断中」である。尚、呼状態管理部１４は、呼の状態を管理するものであり、使用されてないスロット（空きスロット）については呼状態管理部１４によっては管理されない。但し、この空きスロットは、前述したスロット状況監視部１１で監視される。
【００１４】
フラグ制御部１５は、基地局１が使用可能な４つのスロットＳＬ１〜ＳＬ４各々の予約状況を記憶する記憶部を備えており、チャネル割り当て制御部１６の制御の下で各々の記憶部の予約状況を制御する。尚、以下の説明では、説明の便宜上、フラグ制御部１５に設けられる記憶部を「予約スロット」という。図３は、フラグ制御部１５に設けられる予約スロットを示す図である。図３に示す通り、フラグ制御部１５には図２に示すスロットＳＬ１〜ＳＬ４に対応した予約スロットＭ１〜Ｍ４が設けられている。つまり、予約スロットＭ１はスロットＳＬ１の予約状況を記憶し、予約スロットＭ２はスロットＳＬ２の予約状況を記憶し、予約スロットＭ３はスロットＳＬ３の予約状況を記憶し、予約スロットＭ４はスロットＳＬ４の予約状況を記憶する。
【００１５】
図３に示す例において、予約スロットＭ１〜Ｍ３には予約がされてない旨を示す情報である「未使用」が記憶されており、予約スロットＭ４には予約中である旨を示す情報である「予約中」が記憶されている。これら予約スロットＭ１〜Ｍ４には、「未使用」又は「予約中」の何れかが記憶される。尚、実際には、例えば「未使用」が記憶される場合には値「０」が記憶され、「予約中」が記憶される場合には値「１」が記憶される。即ち、予約スロットＭ１〜Ｍ４は二値の値が記憶される。
【００１６】
チャネル割り当て制御部１６は、スロット状況監視部１１の監視結果、呼状態管理部１４の管理結果、及びフラグ制御部１５の制御結果（予約スロットＭ１〜Ｍ４に記憶される内容）に応じてスロット制御部１２を制御し、スロットの割り当て制御（チャネルの割り当て制御）を行う。具体的には、チャネル割り当て制御部１６は、端末２〜４からの接続要求（新規呼）があった場合に、空きスロットがなく、４つのスロットの中で呼状態管理部１４の管理結果を参照して呼の状態が「切断中」であるスロットがあれば、そのスロットを取得し、フラグ制御部１５に設けられる予約スロットＭ１〜Ｍ４のうちのそのスロットに対応する予約スロットに「予約中」である旨を示す情報を記憶させる。また、かかる情報を予約スロットに記憶した場合には、スロットの使用が可能となる旨を示す使用可能情報（ニアアロケートパラメータ）を、新規呼を発した端末へ送信する制御を行う。
【００１７】
尚、基地局１は、端末２〜４等との間の無線信号の品質をモニタする機能（ＴＣＨモニタ機能）を備える。具体的には、端末２〜４等との間のＳＩＮＲ値を算出（推定）して無線信号の品質をモニタする。ここで、ＳＩＮＲ値とは、信号対干渉波・雑音比（Signal to Interference and Noise Ratio）を示す値であって、基地局１と端末２〜４との間で送受信される無線信号の品質を示す品質情報である。チャネル割り当て制御部１６は、かかる機能によるモニタ結果に基づいて、品質の良いキャリアを選択する。
【００１８】
尚、端末２〜４は、基地局１に対して無線信号を送信するとともに、基地局１から送信される無線信号を受信する送受信部と、端末２〜４の各々の動作を制御する制御部とを含んで構成される。
【００１９】
次に、上記構成における基地局、端末、及び無線通信システムの動作について説明する。図４は、基地局と端末との間で行われる無線通信の通信状況を示すタイミングチャートである。尚、図４においては、図２を用いて説明した呼状態管理部１４における各スロットＳＬ１〜ＳＬ４の管理状況と、図３を用いて説明したフラグ制御部１５の予約スロットＭ１〜Ｍ４の記憶内容とを併せて図示している。
【００２０】
まず、基地局１と端末２〜４及び不図示の他の端末との間で通信が行われており、基地局１で使用可能な４つのスロットが全て使用中であるとする。かかる状況においては、スロットＳＬ１〜ＳＬ４の全てについての呼の状態は「通話中」であり、予約スロットＭ１〜Ｍ４には「未使用」が記憶されている。また、端末３はスロットＳＬ４を用いて基地局１と通話中であるとする。この状態で、端末３から切断要求が発せられると、端末３と基地局１との間で切断処理が開始される（ステップＳ１）。
【００２１】
端末３からの切断要求が発せられると、図４に示す通り、基地局１の呼状態管理部１４によって管理されるスロットＳＬ４についての呼の状態が「切断中」になる。ここで、基地局１と端末３との間で切断処理が行われている最中に、例えば端末２から新規呼が発せられ、端末２から基地局１にリンクチャネルの割り当て要求を示す信号であるＬＣＨ割り当て要求信号が送信されたとする（ステップＳ２）。ＬＣＨ割り当て要求信号を受信すると、基地局１のチャネル割り当て制御部１６は、ＬＣＨ割り当て要求受信処理を開始する（ステップＳ３）。
【００２２】
図５は、基地局１で行われるＬＣＨ割り当て要求受信処理を示すフローチャートである。ＬＣＨ割り当て要求受信処理が開始されると、基地局１のチャネル割り当て制御部１６は、呼状態管理部１４の管理結果を参照して呼の状態が「切断中」であるスロット（切断処理中のスロット）の有無を判断する（ステップＳ１１）。図４に示す通り、この時点では、スロットＳＬ４についての呼の状態が「切断中」であるため、判断結果は「ＹＥＳ」になる。
【００２３】
次に、チャネル割り当て制御部１６は、フラグ制御部１５に設けられる予約スロットＭ１〜Ｍ４のうち、呼の状態が「切断中」であるスロットに対応する予約スロット（ここでは、予約スロットＭ４）に「未使用」が記憶されているか否かを判断する（ステップＳ１２）。前述の通り、端末３から切断要求が発せられる前は予約スロットＭ１〜Ｍ４の全てに「未使用」が記憶されているため、この判断結果は「ＹＥＳ」になる。
【００２４】
次いで、チャネル割り当て制御部１６は、フラグ制御部１５に制御信号を出力し、呼の状態が「切断中」であるスロットに対応する予約スロット（ここでは、予約スロットＭ４）に「予約中」である旨を示す情報を記憶させる。そして、チャネル割り当て制御部１６は、端末２から送信されたＬＣＨ割り当て要求信号に関するデータを保存する（ステップＳ１３）。
【００２５】
以上の処理を終えると、チャネル割り当て制御部１６は、リンクチャネルの割り当てを示す信号であるＬＣＨ割り当て信号にニアアロケートパラメータを設定し、ＬＣＨ割り当て要求信号を送信してきた端末２に送信する（ステップＳ１４）。ここで、ニアアロケートパラメータは、基地局１でのスロットの使用が可能となる旨を示す情報である。これにより、図４に示す通り、基地局１から端末２に対してニアアロケートパラメータが設定されたＬＣＨ割り当て信号が送信される（ステップＳ４）。
【００２６】
一方、図５に示すステップＳ１１において、呼の状態が「切断中」であるスロット（切断処理中のスロット）が無いと判断した場合（判断結果が「ＮＯ」の場合）には、チャネル割り当て制御部１６は、リンクチャネルの割り当て拒否を示す信号であるＬＣＨ割り当て拒否信号を、ＬＣＨ割り当て要求信号を送信してきた端末２に送信する（ステップＳ１５）。また、ステップＳ１２の判断結果が「ＮＯ」である場合、即ち呼の状態が「切断中」であるスロット（切断処理中のスロット）はあるものの、そのスロットに対応する予約スロットに「予約中」が記憶されている場合にも、チャネル割り当て制御部１６は、ＬＣＨ割り当て要求信号を送信してきた端末２に対してＬＣＨ割り当て拒否信号を送信する（ステップＳ１５）。
【００２７】
以上の処理により、基地局１で行われるＬＣＨ割り当て要求受信処理は終了する。尚、基地局１から端末２へＬＣＨ割り当て拒否信号が送信されると、基地局１と端末２との間の通信は行われない。このため、端末２は、従来と同様に、他の基地局に対して接続要求を発し（ＬＣＨ割り当て要求信号を送信して）、その基地局との間での通信を試みようとする。これに対し、基地局１から送信されたニアアロケートパラメータが設定されたＬＣＨ割り当て信号を受信した端末２は、短時間の内に基地局１との間で通信が可能な状態になることを知ることができる。このため、従来のように、他の基地局に対するＬＣＨ割り当て要求信号が送信されることはない。
【００２８】
尚、ニアアロケートパラメータが設定されたＬＣＨ割り当て信号を送受信部で受信した端末２は、基地局１からトラフィックチャネルの割り当て開始を示すＴＣＨ起動要求信号（詳細は後述）が送信されるのを一定期間待機する。尚、一定期間待機しても基地局１からＴＣＨ起動要求信号が送信されて来ない場合には、従来と同様に他の基地局に対して接続要求を発し（ＬＣＨ割り当て要求信号を送信して）、その基地局との間での通信を試みようとする。尚、かかる動作は、端末２に設けられる制御部が制御する。
【００２９】
基地局１から端末２に対してニアアロケートパラメータが設定されたＬＣＨ割り当て信号が送信された後に、基地局１との間で切断処理を行っている端末３から、基地局１に対し、トラフィックチャネルの開放を確認する旨を示すＴＣＨ開放確認信号が送信されたとする（ステップＳ５）。ＴＣＨ開放確認信号を受信すると、基地局１のチャネル割り当て制御部１６は、ＴＣＨ開放確認受信処理を開始する（ステップＳ６）。尚、端末３からのＴＣＨ開放確認信号を基地局１が受信すると、基地局１は端末３に対して割り当てていたスロットを他の端末に割り当て可能となる。即ち、図４に示す通り、スロットＳＬ４が「空き」となる。尚、スロットＳＬ４の「空き」はスロット状況監視部１１により監視される。
【００３０】
図６は、基地局１で行われるＴＣＨ開放確認受信処理を示すフローチャートである。ＴＣＨ開放確認受信処理が開始されると、基地局１のチャネル割り当て制御部１６は、呼状態管理部１４の管理結果及びフラグ制御部１５の予約スロットＭ１〜Ｍ４に記憶される内容を参照して、切断処理が行われたスロットに対応する予約スロットに、「予約中」である旨を示す情報が記憶されているか否かを判断する（ステップＳ２１）。尚、ここでは、スロットＳＬ４に対応する予約スロットＭ４に「予約中」である旨を示す情報が記憶されているか否かが判断される。図４に示す通り、この時点では、スロットＳＬ４についての呼の状態が「予約中」であるため、判断結果は「ＹＥＳ」になる。
【００３１】
次に、チャネル割り当て制御部１６は、切断処理を行っている呼の切断原因が通常切断によるものであるか否かを判断する（ステップＳ２２）。ここで、通常切断とは、例えば端末３のユーザによる終話ボタンの押圧等に起因する切断をいい、例えば通信環境の悪化等による強制的な異常切断とは異なるものである。この判断結果が「ＹＥＳ」の場合には、チャネル割り当て制御部１６は、フラグ制御部１５に制御信号を出力し、呼の状態が「切断中」であるスロットに対応する予約スロット（ここでは、予約スロットＭ４）に記憶されている情報を、「未使用」である旨を示す情報に変更させる。そして、チャネル割り当て制御部１６は、先に端末２から送信されていたＬＣＨ割り当て要求信号に関するデータを保存していたデータ保存領域を初期化する（ステップＳ２３）。
【００３２】
以上の処理を終えると、チャネル割り当て制御部１６は、先にＬＣＨ割り当て要求信号を送信してきた端末２に対し、トラフィックチャネルの割り当て開始を示すＴＣＨ起動要求信号を送信する（ステップＳ２４）。これにより、図４に示す通り、基地局１から端末２に対してＴＣＨ起動要求信号が送信される（ステップＳ７）。尚、ＴＣＨ起動要求信号が送信されると、「空き」であったスロットＳＬ４についての呼の状態が「通信中」になる。
【００３３】
一方、図６に示すステップＳ２２の判断結果が「ＮＯ」である場合、即ち、切断処理が通信環境の悪化等による強制的な異常切断等に起因して行われた場合には、チャネル割り当て制御部１６は、基地局１に設けられるＴＣＨモニタ機能によりＴＣＨモニタを実施させ、このモニタ結果に基づいて品質の良いキャリアを選択する（ステップＳ２５）。ＴＣＨモニタを実施すると、ステップＳ２３に進む。また、ステップＳ２１の判断結果が「ＮＯ」である場合、即ち切断処理が行われたスロットに対応する予約スロットに「予約中」である旨を示す情報が記憶されていない場合には、一連の処理は終了する。
【００３４】
ＴＣＨ起動要求信号を受信した端末２は基地局１との間で通信が可能な状態になる。よって、図４に示す通り、基地局１から端末２へＴＣＨ起動要求信号が送信された後に、端末２と基地局１との間で通話（通信）が開始される（ステップＳ８）。
【００３５】
以上説明した通り、本実施形態においては、端末２から新規呼が発せられて基地局１にＬＣＨ割り当て要求信号が送信された場合に、チャネル割り当て制御部１６が呼状態管理部１４の管理状況に基づいて切断処理中のスロットを取得し、フラグ制御部１５に設けられた予約スロットＭ１〜Ｍ４のうちの断処理中のスロットに対応する予約スロットに、そのスロットの使用を予約する制御を行っている。このため、基地局１が割り当てるチャネルの未使用時間を短縮することができる。この結果として基地局１のリソースを有効活用することができる。
【００３６】
また、基地局１から送信されるニアアロケートパラメータが設定されたＬＣＨ割り当て信号により、端末２は基地局１に空きスロットが生じようとすることを知ることができる。このため、基地局１に対してＬＣＨ割り当て要求信号を送信された時点でスロットの空きが無いときに、従来のように即座に他の基地局との間での通信を試みようとするのを防止することができる。これにより、接続要求を発した端末２と基地局１との間でスロットの割り当てが確実に行われるとともに、端末２及び基地局の双方の無駄な処理を省くことができる。
【００３７】
次に、上述した実施形態の変形例について説明する。いま、図４と同様に、端末３からの切断要求が発せられ、端末３と基地局１との間で切断処理が行われている最中に、端末２から新規呼が発せられた場合を考える。かかる場合に、端末４からも新規呼が発せられたときの処理について説明する。図７は、切断処理が行われている最中に複数の端末から新規呼が発せられた場合に基地局１で行われるＬＣＨ割り当て要求受信処理を示すフローチャートである。尚、図７においては、図５に示す処理と同一の処理については同一の符号を付してある。
【００３８】
まず、端末３と基地局１との間で切断処理が行われている最中に、端末２からＬＣＨ割り当て要求信号が送信されると、図５を用いて説明した処理が行われて、呼の状態が「切断中」であるスロットに対応する予約スロット（ここでは、予約スロットＭ４とする）に「予約中」である旨を示す情報が記憶される。また、端末２に対してニアアロケートパラメータが設定されたＬＣＨ割り当て信号が送信される。
【００３９】
端末３と基地局１との間で切断処理が行われている最中に、端末４からＬＣＨ割り当て要求信号が送信されると、基地局１のチャネル割り当て制御部１６は、呼状態管理部１４の管理結果を参照して呼の状態が「切断中」であるスロット（切断処理中のスロット）の有無を判断する（ステップＳ１１）。この時点では、スロットＳＬ４についての呼の状態が「切断中」であるため、判断結果は「ＹＥＳ」になる。
【００４０】
次に、チャネル割り当て制御部１６は、フラグ制御部１５に設けられる予約スロットＭ１〜Ｍ４のうち、呼の状態が「切断中」であるスロットに対応する予約スロット（ここでは、予約スロットＭ４）に「未使用」が記憶されているか否かを判断する（ステップＳ１２）。ここでは、端末２からＬＣＨ割り当て要求信号が送信された時点で予約スロットＭ４に「予約中」である旨を示す情報が記憶されているため、ステップＳ１２の判断結果は「ＮＯ」となる。
【００４１】
次いで、チャネル割り当て制御部１６は、予約スロットＭ４に予約中である端末２よりも新たにＬＣＨ割り当て要求信号を送信した端末４の優先度が高いか否かを判断する（ステップＳ３１）。ここで、端末の優先度は、端末の契約内容、呼の緊急度等に応じて任意に設定することができる。例えば、端末の契約内容に応じて優先度設定する場合には、通信頻度が多い端末の優先度を通信頻度が少ない端末よりも高く設定することができる。また、呼の緊急度に応じて設定する場合には、例えば、通信先の番号が１１０番又は１１９番である呼の優先度を他の呼よりも高くすることができる。
【００４２】
ステップＳ３１の判断結果が「ＹＥＳ」である場合、即ち端末２よりも端末４の方が優先度が高いと判断した場合には、チャネル割り当て制御部１６は、予約スロットＭ４に予約中である端末２に対してＬＣＨ割り当て拒否信号を送信する（ステップＳ３２）。これにより、端末２と基地局１との間のスロットの割り当ては行われない。
【００４３】
次に、チャネル割り当て制御部１６は、フラグ制御部１５に制御信号を出力し、呼の状態が「切断中」であるスロットに対応する予約スロット（ここでは、予約スロットＭ４）に「予約中」である旨を示す情報を記憶させる。尚、既に予約スロットＭ４には「予約中」である旨を示す情報が記憶されているため、この処理は省略してもよい。また、チャネル割り当て制御部１６は、既に保存されているデータ（端末２から送信されたＬＣＨ割り当て要求信号に関するデータ）を、端末４から送信されたＬＣＨ割り当て要求信号に関するデータに書き換えて保存する処理を行う（ステップＳ１３）。
【００４４】
以上の処理を終えると、チャネル割り当て制御部１６は、リンクチャネルの割り当てを示す信号であるＬＣＨ割り当て信号にニアアロケートパラメータを設定し、ＬＣＨ割り当て要求信号を送信してきた端末４に送信する（ステップＳ１４）。これにより、図４に示す通り、基地局１から端末２に対してニアアロケートパラメータが設定されたＬＣＨ割り当て信号が送信され、端末４は基地局１に空きスロットが生じようとすることを知ることができる。
【００４５】
一方、図７に示すステップＳ３１において、判断結果が「ＮＯ」である場合、即ち端末２の優先度が端末４よりも高いと判断した場合には、チャネル割り当て制御部１６は、リンクチャネルの割り当て拒否を示す信号であるＬＣＨ割り当て拒否信号を、ＬＣＨ割り当て要求信号を送信してきた端末４に送信する（ステップＳ１５）。以上の処理により、基地局１で行われるＬＣＨ割り当て要求受信処理は終了する。以上の処理により、切断処理を行っている最中に複数の端末からの新規呼があった場合には、スロットの使用の予約を優先度の高い端末に対して行うことができる。
【００４６】
以上、本発明の一実施形態による無線基地局装置、無線端末装置、及び無線通信システムについて説明したが、本発明は上記実施形態に制限されることなく、本発明の範囲内で自由に変更が可能である。例えば、上記実施形態では、ＴＤＭＡ方式方式により無線信号の送受信を行う無線通信システムを例に挙げたため、スロットの使用状況を監視するとともにスロットの使用を予約していた。しかしながら、本発明は、基地局が端末に対して何らかのチャネル（通信チャネル）を割り当てて通信を行う通信システム一般について適用可能である。
【図面の簡単な説明】
【００４７】
【図１】本発明の一実施形態による無線通信システムの概略構成を示すブロック図である。
【図２】呼状態管理部１４の管理状況を説明するための図である。
【図３】フラグ制御部１５に設けられる予約スロットを示す図である。
【図４】基地局と端末との間で行われる無線通信の通信状況を示すタイミングチャートである。
【図５】基地局１で行われるＬＣＨ割り当て要求受信処理を示すフローチャートである。
【図６】基地局１で行われるＴＣＨ開放確認受信処理を示すフローチャートである。
【図７】切断処理が行われている最中に複数の端末から新規呼が発せられた場合に基地局１で行われるＬＣＨ割り当て要求受信処理を示すフローチャートである。
【符号の説明】
【００４８】
１                基地局
２〜４            端末
１４              呼状態管理部
１５              フラグ制御部
１６              チャネル割り当て制御部
Ｍ１〜Ｍ４        予約スロット
ＳＬ１〜ＳＬ４    スロット
【図１】
2007174449.tif 000003
【図２】
2007174449.tif 000004
【図３】
2007174449.tif 000005
【図４】
2007174449.tif 000006
【図５】
2007174449.tif 000007
【図６】
2007174449.tif 000008
【図７】
2007174449.tif 000009